(57)【要約】【課題】  洗米炊飯洗浄の各作業の場所をとらず、その作業の手間や労力が少なくてすみ、簡単に洗米、炊飯及び洗浄することができる自動洗米炊飯器を提供することを目的とする。【解決手段】  水道供給口、ガス供給口を設けた炊飯ボックスに釜体を配設し、操作摘み下方の摘み基部に作動軸を軸着し、該作動軸に作動腕杆の一端を軸支し、その他端は給水管の軸着された作動係止部に接当させ、作動腕杆が上下に移動する様に装着し、摘み基部に押圧部を装着し、作動軸と給水管に軸架した作動腕杆は給水管の作動係止部と連動し、釜下管外周にガスバーナを配設し、釜下管の下端に排水横管を連設し、給水管ノズルを給水管の上端に取付け、該給水管の下方にシール筒を挿通し、給水管の下端付近に前記作動係止部を装着する。【選択図】  図１
0003108565.tif 000002
【実用新案登録請求の範囲】
【請求項１】
水道供給口(5)、ガス供給口(6)、電源用プラグ(7)を設けた炊飯ボックス(1)の上面に蓋(2)を有する釜体(3)を配設し、操作板(8)には、洗米用タイマースイッチ(9)、炊飯用水量タイマースイッチ(10)、操作摘み(12)、給水用スイッチ(13)、排水用スイッチ(14)をそれぞれ配設し、操作摘み(12)の作動により、これと連動する当杆(26)を有するソレノイド(27)を配設し、前記操作摘み(12)の下方には摘み基部(20)に作動軸(22)が軸着されており、作動軸(22)の上方には案内筒(23)を取付け、下方を軸止(38)で固定支持し、該作動軸(22)に作動腕杆(24)の一端を軸支し、その他端は給水管(50)に軸着された作動係止部(56)に接当させ、操作摘み(12)の操作により作動腕杆(24)が上下動する様に装着し、操作摘み(12)と連動する摘み基部(20)に押圧部(21)を装着し、作動軸(22)と給水管(50)に軸架した作動腕杆(24)は給水管(50)の作動係止部(56)と連動し、切替スイッチ(28)の操作により作動する押圧部(21)を配設してなり、釜体(3)の底中央孔(30)に釜下管(31)を配備し、釜下管(31)の外周に前記ガス供給口(6)と連結した炊飯用ガスバーナ(32)を配設し、該ガスバーナ(32)の近傍に点火装置(33)を配し、釜下管(31)の下端に排水横管(34)を連設し、排水横管(34)には排水電磁弁(35)を介して受け部(4)と連通した排水本管(36)に連結してなり、
前記釜下管(31)の内部に装備する内装管(40)には、外周壁に上網目部(43)、中網目部(64)、下網目部(65)を設けて内装管(40)を着脱自在に配設し、前記上網目部(43)、中網目部(64)、下網目部(65)と連通する給水管ノズル(52)を給水管(50)の上端に着脱自在に取付け、該給水管(50)の下方にシール筒(37)を挿通し、給水管(50)の下端付近に前記作動係止部(56)を装着し、給水管(50)の下端に給水電磁弁(58)を介して給水ホース(57)を連結し、該給水ホース(57)の他端に給水管下端部(66)を常に下方に引っ張られた状態に付勢するよう配備してなることを特徴とする自動洗米炊飯器。
【請求項２】
内装管(40)が、上内装管(41)と下内装管(42)とからなり、上内装管(41)には、上部、中部及び下部のそれぞれの外周壁に米粒より細かい上網目部(43)、中網目部(64)、下網目部(65)を設け、給水管ノズル(52)の下部であって連結筒部(45)の下端に左右対称の略横Ｌ字状の切込(44)を設け、下内装管(42)には上部内周壁に左右対称の係止突起(46)を突設し、前記切込(44)と係止突起(46)とを嵌合係止することにより上下内装管(41)(42)を着脱自在に連結してなる請求項１記載の自動洗米炊飯器。
【考案の詳細な説明】
【技術分野】
【０００１】
本考案は、飲食店、給食センタ等、多量のお米を炊飯する必要のあるところで使用する自動洗米炊飯器に関するものである。
【背景技術】
【０００２】
従来の大型炊飯器において、洗米作業は、計量したお米を直接当該炊飯器に入れて洗うか、別の容器又は洗米機等で洗ったものを当該炊飯器に移し替えたりしていた。
このため、炊飯器の釜で直接洗米する場合には、洗米のためのかき混ぜ作業や洗浄水の入れ替え作業に多大の労力が必要で重労働であり、別の容器又は洗米機等で別の容器で洗米する場合には、別途、当該洗米作業場所が必要となるばかりでなく、洗米後のお米を炊飯器に移し替えなければならず、手間と労力のかかるものであった。
【０００３】
又、炊飯後の炊飯器の洗浄作業は、炊飯用釜が大きいため、重労働であり、手間と労力のかかるものであった。
【考案の開示】
【考案が解決しようとする課題】
【０００４】
そこで、本考案は、前記従来技術に鑑み、洗米、炊飯洗浄の各作業に場所をとらず、その作業の手間や労力が少なくてすみ、簡単に洗米、炊飯及び洗浄することができる自動洗米炊飯器を提供することを目的とする。
【課題を解決するための手段】
【０００５】
上記目的を達成するため本考案に係る請求項１の自動洗米炊飯器は、水道供給口(5)、ガス供給口(6)、電源用プラグ(7)を設けた炊飯ボックス(1)の上面に蓋(2)を有する釜体(3)を配設し、正面に設けた操作板(8)には、洗米用タイマースイッチ(9)、炊飯用水量タイマースイッチ(10)、操作摘み(12)を、給水用スイッチ(13)、排水用スイッチ(14)をそれぞれ配設し、前記操作摘み(12)の作動により連動する当杆(26)を有するソレノイド(27)を配設し、前記操作摘み(12)の下方には摘み基部(20)に作動軸(22)が軸着されており、作動軸(22)の上方には案内筒(23)を取付け、下方には軸止(38)で固定支持し、該作動軸(22)に作動腕杆(24)の一端を軸支し、その他端は給水管(50)の軸着された作動係止部(56)に接当させ、操作摘み(12)の操作により作動腕杆(24)が上下に移動する様に装着し、操作摘み(12)と連動する摘み基部(20)に押圧部(21)を装着し、作動軸(22)と給水管(50)に軸架した作動腕杆(24)は給水管(50)の作動係止部(56)と連動させ、切替スイッチ(28)の操作により作動する押圧部(21)を配設してなり、釜体(3)の底中央孔(30)に釜下管(31)を配備し、釜下管(31)の外周に前記ガス供給口(6)と連結した炊飯用ガスバーナ(32)を配設し、該ガスバーナ(32)の近傍に点火装置(33)を配し、釜下管(31)の下端に排水横管(34)を連設し、排水横管(34)には排水電磁弁(35)を介して受け部(4)と連通した排水本管(36)に連結してなり、
前記釜下管(31)の内部に装備する内装管(40)には、外周壁に上網目部(43)、中網目部(64)、下網目部(65)を設けて内装管(40)を着脱自在に配設し、前記上網目部(43)、中網目部(64)、下網目部(65)と連通する給水管ノズル(52)を給水管(50)の上端に着脱自在に取付け、該給水管(50)の下方にシール筒(37)を挿通し、給水管(50)の下端付近に前記作動係止部(56)を装着し、給水管(50)の下端に給水電磁弁(58)を介して給水ホース(57)を連結し、該給水ホース(57)の他端に給水管下端部(66)を常に下方に引っ張られた状態に負勢するよう配備してなる構成である。
【０００６】
請求項２の自動洗米炊飯器は、請求項１記載の前記内装管(40)が、上内装管(41)と下内装管(42)とからなり、上内装管(41)には、上部、中部及び下部のそれぞれの外周壁に米粒より細かい上網目部(43)、中網目部(64)、下網目部(65)を設け、給水管ノズル(52)の下部であって連結筒部(45)の下端に略横Ｌ字状の切込(44)を設け、下内装管(42)には上部内周壁に係止突起(46)を突設し、前記切込(44)と係止突起(46)とを嵌合係止することにより上下内装管(41)(42)を着脱自在に連結してなる構成である。
【考案の効果】
【０００７】
請求項１の自動洗米炊飯器の構成によれば、当該自動洗米炊飯器のみで洗米から炊飯までの給水、排水及び炊飯を自動的に行うことができ、洗米炊飯洗浄の各作業の場所をとらず、その作業の手間や労力が少なくてすみ、簡単に洗米、炊飯及び洗浄することができる。
【０００８】
請求項２の自動洗米炊飯器の構成によれば、内装管(40)を上下に分割できるようにしているため、炊飯後の洗浄を簡単に行うことができ、洗米、炊飯及び炊飯器の洗浄に手間や労力を低減できる。
【考案を実施するための最良の形態】
【０００９】
水道供給口(5)、ガス供給口(6)、電源用プラグ(7)を設けた炊飯ボックス(1)の上面に蓋(2)を有する釜体(3)を配設し、正面に設けた操作板(8)には、洗米用タイマースイッチ(9)、炊飯用水量タイマースイッチ(10)、操作摘み(12)を、給水用スイッチ(13)、排水用スイッチ(14)をそれぞれ配設し、前記操作摘み(12)の作動により連動する当杆(26)を有するソレノイド(27)を配設し、前記操作摘み(12)の下方には摘み基部(20)に作動軸(22)が軸着されており、作動軸(22)の上方には案内筒(23)を取付け、下方には軸止(38)で固定支持し、該作動軸(22)に作動腕杆(24)の一端を軸支し、その他端は給水管(50)の軸着された作動係止部(56)に接当させ、操作摘み(12)の操作により作動腕杆(24)が上下に移動する様に装着し、操作摘み(12)と連動する摘み基部(20)に押圧部(21)を装着し、作動軸(22)と給水管(50)に軸架した作動腕杆(24)は給水管(50)の作動係止部(56)と連動させ、切替スイッチ(28)の操作により作動する押圧部(21)を配設してなり、釜体(3)の底中央孔(30)に釜下管(31)を配備し、釜下管(31)の外周に前記ガス供給口(6)と連結した炊飯用ガスバーナ(32)を配設し、該ガスバーナ(32)の近傍に点火装置(33)を配し、釜下管(31)の下端に排水横管(34)を連設し、排水横管(34)には排水電磁弁(35)を介して受け部(4)と連通した排水本管(36)に連結してなり、前記釜下管(31)の内部に装備する内装管(40)には、外周壁に上網目部(43)、中網目部(64)、下網目部(65)を設けて内装管(40)を着脱自在に配設し、前記上網目部(43)、中網目部(64)、下網目部(65)と連通する給水管ノズル(52)を給水管(50)の上端に着脱自在に取付け、該給水管(50)の下方にシール筒(37)を挿通し、給水管(50)の下端付近に前記作動係止部(56)を装着し、給水管(50)の下端に給水電磁弁(58)を介して給水ホース(57)を連結し、該給水ホース(57)の他端に給水管下端部(66)を常に下方に引っ張られた状態に付勢するよう配備してなる構成によって、洗米、炊飯洗浄の各作業に場所をとらず、その作業の手間や労力が少なくてすみ、簡単に洗米、炊飯及び洗浄することができる自動洗米炊飯器を提供する目的を達成した。
【実施例】
【００１０】
本考案に係る自動洗米炊飯器の実施の形態例を図面に基づき説明する。
本考案に係る自動洗米炊飯器は、図1に示すように、炊飯ボックス(1)の上面中央に、蓋(2)を有する釜体(3)を配設し、釜体(3)周囲に受け部(4)を設け、操作板(8)の左側面に上から順に水道供給口(5)、ガス供給口(6)、電源用プラグ(7)をそれぞれ設け、操作板(8)の正面には、左側上部に洗米用タイマースイッチ(9)を、その下部に炊飯用水量タイマースイッチ(10)を、中央の縦孔(11)の下部に上下動自在の操作摘み(12)を、右側上部に給水用スイッチ(13)を、その下部に排水用スイッチ(14)をそれぞれ配設してなるものである。
【００１１】
前記操作摘み(12)は、図２に示すように、摘み基部(20)と一体に取り付けられており、この摘み基部(20)の右側下部には切替スイッチ(28)と連動する押圧部(21)を装着し、摘み基部(20)の下方には作動軸(22)を取付け、当該作動軸(22)は、上方に案内筒(23)を取付け、炊飯ボックス(1)内に設けた軸止(38)で固定支持され、この案内筒(23)と軸止(38)間の作動軸(22)の下方に作動腕杆(24)の一端を軸支し、作動腕杆(24)の他端は作動係止部(56)に接当させ、操作摘み(12)の上下動により、作動軸(22)と連動して作動腕杆(24)が上下動する様に装着し、操作摘み(12)の上方への移動により、これと連動する当杆(26)を有するソレノイド(27)を配設し、前記案内筒(23)の上部付近に前記押圧部(21)により作動する切替スイッチ(28)を配設してなるものである。
【００１２】
更に図２に示すように、釜体(3)の底部中央に底中央孔(30)を穿設し、この底中央孔(30)と連通する釜下管(31)を釜体(3)裏面に固着し、釜下管(31)の略中央の外周にはガス供給口(6)と連結した炊飯用のガスバーナ(32)を配設し、該ガスバーナ(32)の近傍には点火装置(33)を配し、釜下管(31)の下端に排水横管(34)を連設し、排水横管(34)の他端を排水電磁弁(35)を介して、前記受け部(4)と連通した排水本管(36)に連結する。
【００１３】
前記釜下管(31)の内部には、外周壁に上網目部(43)、中網目部(64)、下網目部(65)を有する内装管(40)を、上下摺動自在に装備し、前記中網目部(64)と連通する給水管ノズル(52)を内装管(40)内に着脱自在に配設し、下内装管(42)内に取付けられた支持板(53)に給水管(50)が挿通自在に取付けられており、釜下管(31)の下端中央には排水の洩れを防止するためシール筒(37)を介して給水管(50)を挿通する。
【００１４】
前記内装管(40)は上内装管(41)と下内装管(42)に分離せず一体でも良いが、図５に示すように、内装管(40)が上内装管(41)と下内装管(42)に分離できる構造からなり、上内装管(41)は、上部、中部及び下部の各周壁に米粒より細かい上網目部(43)、中網目部(64)、下網目部(65)を形成し、左右対称の略横Ｌ字状の切込(44)を設けた連結筒部(45)を下端内周壁に連設してなり、筒状体の下内装管(42)の上部内壁に左右対称に係止突起(46)を突設し、前記切込(44)に係止突起(46)が嵌合係止することにより上下内装管(41)(42)を着脱自在に連結してなるものである。
【００１５】
左右に給水口(51)を形成した給水管(50)の上端には、前記上内装管(41)の上網目部(43)、中網目部(64)、下網目部(65)と連続する連結筒部(45)の給水管ノズル(52)を嵌着させて、給水管(50)を支持する支持板(53)を下内装管(42)の内壁と固着し、給水管(50)の上部にはゴム製の上ストッパー(54)を装着し、釜下管(31)の下端に排水漏れを防止するシール筒(37)と下ストッパー(55)を装着し、その下部には前記作動腕杆(24)と接当する作動係止部(56)を装着する。
【００１６】
次に、給水管下端部(66)に連結したＬ字状の給水ホース(57)を連結し、該給水ホース(57)の他端には給水電磁弁(58)を介して水道供給口(5)と連結し、給水ホース(57)の下端にコイルバネ(62)を取り付け、該給水管(50)が常に下方に引っ張られた状態に負勢して配設してなるものである。
【００１７】
前記給水管ノズル(52)は、給水管(50)の上端に着脱自在に嵌挿する挿入部(63)を下方に設け、左右に開口部(61)を設けた断面視状Ｔ字状の中空体である。
【００１８】
次に、本考案に係る自動洗米炊飯器の使用方法について、図面に基づき説明する。
まず、洗米工程について説明する。
図1に示すごとく、炊飯ボックス(1)の釜体(3)に、所定量の計量された米を入れて蓋(2)をし、図２に示すごとく、操作板(8)の操作摘み(12)を縦孔(11)に沿って上端まで引き上げて操作摘み(12)を押し込むと、操作摘み(12)が摘み基部(20)でソレノイド(27)の当杆(26)を押圧し、その位置で操作摘み(12)を係止させる。
【００１９】
このとき、図３に示す如く、操作摘み(12)を引き上げることにより、下ストッパー(55)がシール筒(37)の下端に接当し、給水管(50)が必要以上に上がることを防止している。
又、操作摘み(12)を引き上げることにより、図２に２点鎖線で示すように、コイルバネ(62)の引っ張り力に抗して、作動腕杆(24)と接当している給水管(50)の作動係止部(56)が上昇し、内装管(40)が釜下管(31)内を上昇して、図３に示すごとく、内装管(40)の上内装管(41)の上網目部(43)、中網目部(64)、下網目部(65)が釜体(3)内に突出する。
【００２０】
次ぎに、釜体(3)に入れた米の量に応じて、図６に示すごとく、炊飯用水量タイマースイッチ(10)及び洗米用スイッチ(9)を回して洗米量に応じて目盛りをセットすると、最初に電源用スイッチ(59)と炊飯点火用スイッチ(60)を入れておいて、当該洗米用スイッチ(9)のタイマが切替スイッチ(28)と作動すると共に、排水電磁弁(35)及び給水電磁弁(58)を開いて排水および給水可能状態となる。
【００２１】
これにより、図３に示す状態となり、図２により水道供給口(5)から供給された水道水は、給水電磁弁(58)、給水ホース(57)、給水管(50)、給水管ノズル(52)、内装管(40)の中網目部(64)を経由して、釜体(3)の底周囲全体に一定時間シャワー状に噴射されて洗米され、この洗米水は上内装管(41)の中網目部(64)から釜体(3)に内に流れ込み、排水は上網目部(43)、下網目部(65)から釜下管(31)、排水横管(34)、排水電磁弁(35)、排水本管(36)、を経由して外部に排出される。
【００２２】
このとき、米は、内装管(40)の上網目部(43)、中網目部(64)、下網目部(65)が、米粒より細かいため釜体(3)内に残り、この状態で、洗浄水の水圧によって洗米され、同時に排水され、前記図１に示すごとく、洗米用タイマースイッチ(9)によりセットした一定時間洗米され、洗米用スイッチ(9)のダイヤルが０点に戻り、排水電磁弁(35)が閉じる。
【００２３】
又、図３において給水管ノズル(52)を内装管(40)の中網目部(64)に連通させているため、給水管ノズル(52)から給水される水は無駄なく中網目部(64)から噴射されて釜体(3)内に供給されると共に、洗米水は釜体(3)の底から上面の周壁に沿って流れ、下から上に流れるにしたがって洗米して行き、上網目部(43)及び下網目部(65）から洗米水が排出されるため、効率よく洗米することができる。
【００２４】
前記設定時間が経過すると、洗米用タイマースイッチ(9)のダイヤルの目盛りが０点となり、同時に、給水電磁弁(58)が閉じて洗米のための給水が止まり、釜の中の米だけが残り、水は全て排水され、洗米作業が終了する。
【００２５】
炊飯工程について説明する。
図６に示すごとく、洗米用タイマースイッチ(9)のダイヤル目盛りが０点となり、洗米作業が終了すると、排水電磁弁(35)が閉じ、同時に、前記のように予めセットしておいた炊飯用タイマースイッチ(10)が作動を開始し、給水電磁弁(58)が開き、給水電磁弁(58)、給水ホース(57)、給水管(50)、給水管ノズル(52)を経由して、内装管(40)の中網目部(64)から炊飯に必要な所定量の水が、釜体(3)に供給される。
【００２６】
所定時間が経過すると炊飯用タイマースイッチ(10)のダイヤルタ目盛りが０点になり、給水電磁弁(58)が閉じて炊飯用の給水が止まり、同時に、図４に示すごとく、突出していたソレノイド(27)の当杆(26)が引っ込み、当該当杆(26)と摘み基部(20)との嵌合係止が解除され、給水管(50)に配設したコイルバネ(62)の引張力により、当該給水管(50)が下降し、上ストツパー(54)がシール筒(37)の上面に接当し、下降が停止する。
【００２７】
このとき、支持板(53)を介して給水管(50)に連結した内装管(40)が、釜体(3)の中心部に突出していた状態から下降して釜下管(31)内に内装され、図２、図４に示すごとく、釜体(3)の底が当該内装管(40)の上面で蓋をされた状態となると共に、給水管(50)に取付けた作動係止部(56)に遊嵌した作動腕杆(24)を介して作動軸(22)が下降し、当該作動軸(22)の上端に取付けた摘み基部(20)が下降し、当該操作摘み(12)が操作板(8)の縦孔(11)の上端から下降して下端の元の位置に戻る。
【００２８】
前記操作摘み(12)が元の位置に戻ると、図６に示すごとく、当該操作摘み(12)に連設された押圧部(21)により切替スイッチ(28)が押圧され、給水用スイッチ(13)及び排水用スイッチ(14)の電源が切れた状態となる。
【００２９】
次に、点火装置(33)によりガスバーナ(32)に点火されると、炊飯が開始され、炊飯用タイマースイッチ(10)のダイヤルで予め設定した所定時間経過後、自動的にガスが止まり、炊飯が終了状態になる。
【００３０】
尚、洗米用タイマースイッチ（9）のダイヤルを回わしている場合は、炊飯用水量タイマースイッチ(10)と、給水用スイッチ(13)、排水用スイッチ(14)にはスイッチを入れても電流は洗米用タイマースイッチ（9）のダイヤルが0点の位置に戻るまでは電流は流れない。
また、洗米用タイマースイッチ（9）のダイヤルを回わしても摘みを上げて電流が流れるまでは制止した状態で回転に戻ることはない。
【００３１】
炊飯後の釜体内の洗浄工程について説明する。
炊きあがったご飯を除去して空になった釜体(3)内を洗浄するには、図１、２に示すごとく、米を洗浄するときと同様に、操作板(8)の操作摘み(12)を縦孔(11)に沿って上端まで引き上げて操作摘み(12)を押し込み、操作摘み(12)の摘み基部(20)をソレノイド(27)の当杆(26)に嵌合させると、その位置で操作摘み(12)が係止すると共に、電源がＯＮ状態となり、釜体(3)の中央孔から内装管(40)が突出する。
【００３２】
釜体(3)内に突出した内装管(40)を少許左に回して、上内装管(41)の切込(44)と下内装管(42)の係止突起(46)との嵌合係止を解除し、上内装管(41)と下内装管(42)を分離し、上内装管(41)を取り外し、同時に、給水管ノズル(52)を給水管(50)から外して図５に示す状態とする。
【００３３】
そして、図６に示すごとく、操作板(8)の給水用スイッチ(13)及び排水用スイッチ(14)を押して、給水電磁弁(58)及び排水電磁弁(35)を開くと、給水管(50)の先端の給水口(51)から水が横方向に噴射され、釜体(3)内壁に付着した米粒等の付着物を洗い落とされる。
【００３４】
洗い流された付着物は、図２、３に示すごとく、下内装管(42)、釜下管(31)、排水横管(34)、排水電磁弁(35)、排水本管(36)を経由して、排水され、洗浄を終了すると、給水用スイッチ(13)を押して給水電磁弁(58)を閉じ、給水を停止する。
【００３５】
この後、上内装管(41)内の給水管ノズル(52)を給水管(50)の上端に挿入すると共に、上内装管(41)を少許右に回して、上内装管(41)の連結筒部(45)の切込(44)と下内装管(42)の係止突起(46)とを嵌合係止して、上内装管(41)を下内装管(42)に連結して元の状態に戻した後、操作摘み(12)を少許押し込み、当該操作摘み(12)とソレノイド(27)の当杆(26)との嵌合係止を解除し、当該操作摘み(12)を下降させて元の位置に戻すと共に、内装管(40)を釜下管(31)内に収納し、図２に示した状態とする。
【００３６】
前記操作摘み(12)が元の位置に戻ると、当該操作摘み(12)に連設された押圧部(21)により切替スイッチ(28)が押圧され、給水用スイッチ(13)及び排水用スイッチ(14)の電源が切れた状態となる。
【００３７】
なお、このとき、炊飯用水量タイマースイッチ(10)が初期位置に戻っていることから点火装置(33)には点火されない。
尚、炊飯用点火スイッチ(60)は単独で点火装置(33)に点火する場合のスイッチで、全自動の場合はあらかじめ炊飯用水量タイマースイッチ(10)のダイヤルを回したときに炊飯用スイッチ(10)のボタンを押した状態で置く。
以上の如く、操作を繰り返すことにより、洗米、炊飯及び洗浄の各動作が実行される。
【００３８】
前記実施の態様例では、内装管(40)を上下に分離する例で説明したが、洗浄工程において、給水管(50)の先端に給水口(51)が露出し、ご飯粒等の付着物が洗浄排出できればよく、一体化した内装管(40)を当該給水管(50)の先端に着脱自在に螺着できるような構成としてもよい。
この場合において、前記給水管ノズル(52)は、給水管(50)の給水口(51)からの供給水が飛散することなく、内装管(40)の中網目部(64)から噴出できればよく、その形状や材質は、特に限定するものではない。
【００３９】
前記実施の態様例では、釜下管(31)の下端右側璧に排水横管(34)を連設した例で説明したが、釜下管(31)の下端に直接排水横管(34)を連設してもよく、洗浄物が当該釜下管(31)の下端に溜まらないように排水横管(34)を連設すればよく、その連設部位や形状は、特に限定するものではない。
【００４０】
以上の説明から明らかなように本考案に係る自動洗米炊飯器は、以下に列挙する実用上の様々の優れた効果を有する。
本考案に係る自動洗米炊飯器は、本器のみで洗米から炊飯までの給水、排水及び炊飯を自動的に行うことができ、洗米炊飯洗浄の各作業の場所をとらず、その作業の手間や労力が少なくてすみ、簡単に洗米、炊飯及び洗浄することができる。
【００４１】
又、内装管を上下に分割できるようにすることにより、炊飯後の釜の洗浄を簡単に行うことができ、手間や労力を低減できる優れた効果を有する。
【図面の簡単な説明】
【００４２】
【図１】本考案の実施形態に係る自動洗米炊飯器の正面図である。
【図２】前記自動洗米炊飯器の一部省略側面説明図である。
【図３】前記自動洗米炊飯器の洗米するときにおける釜体付近の一部省略拡大断面説明図である。
【図４】前記自動洗米炊飯器の炊飯するときにおける釜体付近の一部省略拡大断面説明図である。
【図５】前記自動洗米炊飯器の洗浄するときにおける釜体付近の一部省略拡大断面説明図である。
【図６】自動洗米炊飯器の電気回路のブロック図である。
【符号の説明】
【００４３】
(1)     炊飯ボックス
(2)     蓋
(3)     釜体
(4)     受け部
(5)     水道供給口
(6)     ガス供給口
(7)     電源用プラグ
(8)     操作板
(9)     洗米用タイマースイッチ
(10)    炊飯用水量タイマースイッチ
(11)    縦孔
(12)    操作摘み
(13)    給水用スイッチ
(14)    排水用スイッチ
(20)    摘み基部
(21)    押圧部
(22)    作動軸
(23)    案内筒
(24)    作動腕杆
(26)    当杆
(27)    ソレノイド
(28)    切替スイッチ
(30)    底中央孔
(31)    釜下管
(32)    ガスバーナ
(33)    点火装置
(34)    排水横管
(35)    排水電磁弁
(36)    排水本管
(37)    シール筒
(38)    軸止
(40)    内装管
(41)    上内装管
(42)    下内装管
(43)    上網目部
(44)    切込
(45)    連結筒部
(46)    係止突起
(50)    給水管
(51)    給水口
(52)    給水管ノズル
(53)    支持板
(54)    上ストッパー
(55)    下ストッパー
(56)    作動係止部
(57)    給水ホース
(58)    給水電磁弁
(59)    電源用スイッチ
(60)    炊飯用点火スイッチ
(61)    開口部
(62)    コイルバネ
(63)    挿入部
(64)    中網目部
(65)    下網目部
(66)    給水管下端部
【図１】
0003108565.tif 000003
【図２】
0003108565.tif 000004
【図３】
0003108565.tif 000005
【図４】
0003108565.tif 000006
【図５】
0003108565.tif 000007
【図６】
0003108565.tif 000008